(57)【要約】【課題】プレーヤー自身の手を汚すことなくプレーヤーの日焼け防止を効率的に図ることにより、ゴルフ場での特異的なサービスを提供し、併せて日焼け止め化粧料や関連化粧料の販売を促進すること。【解決手段】ゴルフ場にて、専門スタッフがプレーヤーに日焼け止め化粧料を塗布することにより、プレーヤー自身の手を汚すことなくプレーヤーの日焼け防止を図ることを特徴とするゴルフ場での日焼け防止サービスの提供方法である。【選択図】図１
2010282525.tif 000002
【特許請求の範囲】
【請求項１】
ゴルフ場にて、専門スタッフがプレーヤーに日焼け止め化粧料を塗布することにより、プレーヤー自身の手を汚すことなくプレーヤーの日焼け防止を図ることを特徴とするゴルフ場での日焼け防止サービスの提供方法。
【請求項２】
前記専門スタッフが、スタートティー付近にてプレーヤーに日焼け止め化粧料を塗布することを特徴とする請求項１記載のゴルフ場での日焼け防止サービスの提供方法。
【請求項３】
前記プレーヤーが休憩後再スタートの際も、前記専門スタッフがスタートティー付近にてプレーヤーに日焼け止め化粧料を塗布することを特徴とする請求項２記載のゴルフ場での日焼け止めサービスの提供方法。
【請求項４】
前記専門スタッフが、化粧用具を用いて日焼け止め化粧料を塗布することを特徴とする請求項１〜３記載のゴルフ場での日焼け止めサービスの提供方法。
【請求項５】
前記専門スタッフが、鏡を用いて日焼け止め化粧料の塗布状態をプレーヤーに確認させることを特徴とする請求項１〜４記載のゴルフ場での日焼け止めサービスの提供方法。
【請求項６】
前記専門スタッフが、当日の紫外線量に応じて化粧料の日焼け止め効果を調整し塗布することを特徴とする請求項１〜５記載のゴルフ場での日焼け止めサービスの提供方法。
【請求項７】
前記専門スタッフが、プレー終了後にプレーヤーの当日の日焼けの状態を確認して日焼け後の肌をケアする化粧料を塗布することを特徴とする請求項１〜６記載のゴルフ場での日焼け止めサービスの提供方法。
【請求項８】
前記専門スタッフが、プレーヤーに日焼け止め化粧料を塗布する際にゴルフ場のコースに関するアドバイスを行うことを特徴とする請求項１〜７記載のゴルフ場での日焼け止めサービスの提供方法。
【請求項９】
前記日焼け止め化粧料若しくはその他の化粧料に関する情報及び／又はプレーヤーに関する情報を表示する手段と、当該情報を入力する手段と、当該情報を蓄積・検索する手段とを備え、当該手段を用いて、前記専門スタッフがプレーヤーを特定できる情報を入力するステップと、当該情報が検索されるステップと、当該情報に基づいて、日焼け止め化粧料若しくは日焼け後の肌をケアする化粧料を塗布する各プレーヤーに適する日焼け止めサービスを提供するステップを有することを特徴とする請求項１〜８記載のゴルフ場での日焼け止めサービスの提供方法。
【請求項１０】
さらに、ゴルフ場のコース情報を表示する手段と、当該情報を入力する手段と、当該情報を蓄積・検索する手段とを備え、当該手段を用いて、プレーヤーの希望に応じて、前記専門スタッフがゴルフ場のコースに関するアドバイスを提供するステップを有することを特徴とする請求項９記載のゴルフ場での日焼け止めサービスの提供方法。
【発明の詳細な説明】
【技術分野】
【０００１】
本発明はゴルフ場でのサービス向上のシステムに関し、プレーヤーの日焼け防止を図ることを目的とするゴルフ場での新規なサービス提供方法に関するものである。
【０００２】
さらに詳しくは、ゴルフ場のスタートティー付近にて専門スタッフがプレーヤーに日焼け止め化粧料を塗布することによりプレーヤーの日焼け防止を効率的に図ると共に、プレーヤーの技術の向上並びにゴルフ場のプレーヤーに対するサービスをも図ることを目的とする、ゴルフ場での日焼け防止サービスの提供方法に関するものである。
【背景技術】
【０００３】
ゴルフ場でのプレーヤーは、長時間、直射日光に当たる機会が極めて多く、日焼けはゴルフ場でのプレーヤーにとって大敵である。特に夏のゴルフにおいては、プレーヤーは効率的に日焼け対策をする必要がある。特に女性ゴルファーは日焼けを極端に嫌う傾向があり、女性ゴルファーは極めて効率的な日焼け対策を望んでいる。
【０００４】
日焼けは紫外線によって引き起こされる。そして、ゴルフ場でのプレーヤーにとって有害な紫外線吸収波長領域は、ＵＶ−Ａ領域（３２０〜４００ｎｍ）とＵＶ−Ｂ領域（２９０〜３２０ｎｍ）であり、ＵＶ−Ａ領域の紫外線は皮膚を黒く侵し、ＵＶ−Ｂ領域の紫外線と同じくサンバーンを起こすと考えられている。また、ＵＶ−Ｂ領域の紫外線が比較的、皮膚の表面部分にとどまるのに対してＵＶ−Ａ領域の紫外線が、皮膚の深部にまで達し、皮膚の老化や皮膚癌を誘発する原因となるとまで言われている（特許文献１）。
【０００５】
日焼け止め化粧料に配合される主な紫外線吸収剤を化学構造上分類すると、（１）ベンゾフェノン誘導体，（２）パラアミノ安息香酸誘導体、（３）パラメトキシ桂皮酸誘導体、（４）サリチル酸誘導体等が挙げられる（非特許文献１）。
【０００６】
ゴルフ場にて紫外線による日焼けを防止する手段としては、プレーヤーは様々な紫外線吸収剤を配合する日焼け止め化粧料を自分自身で塗布したり、日傘を差してプレーしたりすることによる手段が採られている。
【０００７】
プレーヤーがゴルフ場にて使用する日焼け止め化粧料は様々な種類が市販されており、ゴルフ場でのプレーヤーは、上記紫外線吸収剤が配合された日焼け止め用クリームや日焼け止め用乳液を自分で購入し、自分自身でプレー直前に塗布することが通常である。
【０００８】
また、プレー終了後には、ゴルフ場の浴室にて塗布した日焼け止め化粧料を洗顔により落とし、日焼け後の顔や首や腕等にローションや乳液を自分自身で塗布し、日焼けによるほてりを沈めたり、日焼け後の肌をケアしたりすることが通常である。
【０００９】
一方、ゴルフ場に関するシステムとして、気象庁用サーバーから取得した降水確率を利用して、雨天による予約キャンセルを簡単に行うことができ、雨天でのゴルフ場の利用を割安にする利用料金の設定方法に関する発明（特許文献２）や、ホールインワン確認システムに関する発明（特許文献３）が特許出願されている。
【先行技術文献】
【特許文献】
【００１０】
【特許文献１】特開２００７−１０６７０１号公報
【特許文献２】特開２００１−１８１３１号公報
【特許文献３】特開平８−１１２３８７号公報
【非特許文献】
【００１１】
【非特許文献１】光井武夫編  「新化粧品学」株式会社南山堂  １９９７年
【発明の概要】
【発明が解決しようとする課題】
【００１２】
上述したように、日焼けはゴルフ場でのプレーヤーにとって大敵であり、紫外線によって様々な悪影響がプレーヤーに及ぶのにもかかわらず、ゴルフ場は、主にプレーヤー自らが日焼け止め化粧料を塗布したり、日傘を差したりするというプレーヤー自身による日焼け対策に頼っており、積極的にプレーヤーを紫外線から保護するという意識に欠けており、プレーヤーの日焼け防止に対してゴルフコースとして何らのサービスもされていないのが現状であった。
【００１３】
また、プレーヤー自身も、日焼け止め化粧料を塗布することを面倒に感じたり煩わしく思ったりするので、これを塗布することなくプレーに興じ、日焼けを防止することなく、ゴルフ場での紫外線による悪影響を甘受することが多い。
【００１４】
そして、自ら長年に亘ってゴルフをプレーする本発明者が、ゴルフ場での日焼け防止の問題点について鋭意検討すると、通常、プレーヤーは日焼け止め化粧料をプレー前に自分自身の手により顔面等に塗布しているが、塗布した日焼け止め化粧料は汗で落ち難い反面、手に付いた日焼け止め化粧料が簡単には除去できず、手がべたついたり滑ったりしてしまうという問題点があり、さらにプレーヤーはプレースタート前に手がべたつくことを嫌う傾向があって、このことが日焼け止め化粧料を塗布することに対して重大な阻害要因になっていることを見出した。
【００１５】
特にプレースタート前に日焼け止め化粧料を自ら塗布すると、素手で握ったゴルフクラブのグリップが滑ってしまって満足にプレーできないというゴルファー特有の致命的な問題点が生じてしまう。
【００１６】
一方、自分自身で日焼け止め化粧料を顔面や首に塗布すると均一に塗布できなかったり、塗り残しがあったりして効率的に塗布することが必ずしも容易ではないということが判明した。
【００１７】
また、自分自身では均一に塗ることが出来なかったり厚く塗り過ぎたりして、部分的に顔面が白くなり見栄えが悪くなって、プレーヤーの中にはこれを嫌うという問題点があることを見出した。顔が白くなりすぎて格好が悪くなれば、ゴルフウェアでおしゃれをしても台無しである。
【００１８】
上述の問題点は、全て、ゴルフ場におけるプレーヤーの日焼け防止を阻害する要因として作用するものである。
【００１９】
本発明は、ゴルフ場特有の日焼け防止即ちプレーヤーにとって極めて重要な紫外線対策を解決する発明であって、何ら積極的にプレーヤーを紫外線から保護する対策がゴルフコースとして採られていない現状と、日焼け止め化粧料をプレーヤー自ら塗布することによる上述の様々な問題点に鑑みてなされた発明であり、その要旨は、ゴルフ場のスタートティー付近にて専門スタッフがプレーヤーに日焼け止め化粧料を塗布することによりプレーヤーの日焼け防止を効率的に達成すると共に、プレーヤーの技術の向上並びにゴルフ場のプレーヤーに対するサービスの向上を図ることを目的とする発明である。
【課題を解決するための手段】
【００２０】
すなわち、本発明は、ゴルフ場にて、専門スタッフがプレーヤーに日焼け止め化粧料を塗布することにより、プレーヤー自身の手を汚すことなくプレーヤーの日焼け防止を図ることを特徴とするゴルフ場での日焼け防止サービスの提供方法を提供するものである。
【００２１】
また、本発明は、前記専門スタッフが、スタートティー付近にてプレーヤーに日焼け止め化粧料を塗布することを特徴とする上記のゴルフ場での日焼け防止サービスの提供方法を提供するものである。
【００２２】
さらに、本発明は、前記プレーヤーが休憩後再スタートの際も、前記専門スタッフがスタートティー付近にて日焼け止め化粧料をプレーヤーに塗布することを特徴とする上記のゴルフ場での日焼け止めサービスの提供方法を提供するものである。
【００２３】
また、本発明は、前記専門スタッフが、化粧用具を用いて日焼け止め化粧料を塗布することを特徴とする上記のゴルフ場での日焼け止めサービスの提供方法を提供するものである。
【００２４】
さらに、本発明は、前記専門スタッフが、鏡を用いて日焼け止め化粧料の塗布状態をプレーヤーに確認させることを特徴とする上記のゴルフ場での日焼け止めサービスの提供方法を提供するものである。
【００２５】
また、本発明は、前記専門スタッフが、当日の紫外線量に応じて化粧料の日焼け止め効果を調整し塗布することを特徴とする上記のゴルフ場での日焼け止めサービスの提供方法を提供するものである。
【００２６】
さらに、本発明は、前記専門スタッフが、プレー終了後にプレーヤーの当日の日焼けの状態を確認して日焼け後の肌をケアする化粧料を塗布することを特徴とする上記のゴルフ場での日焼け止めサービスの提供方法を提供するものである。
【００２７】
また、本発明は、前記専門スタッフがプレーヤーに日焼け止め化粧料を塗布する際にゴルフ場のコースに関するアドバイスを行うことを特徴とする上記のゴルフ場での日焼け止めサービスの提供方法を提供するものである。
【００２８】
さらに、本発明は、前記日焼け止め化粧料若しくはその他の化粧料に関する情報及び／又はプレーヤーに関する情報を表示する手段と、当該情報を入力する手段と、当該情報を蓄積・検索する手段とを備え、当該手段を用いて、前記専門スタッフがプレーヤーを特定できる情報を入力するステップと、当該情報が検索されるステップと、当該情報に基づいて、焼け止め化粧料若しくは日焼け後の肌をケアする化粧料を塗布する各プレーヤーに適する日焼け止めサービスを提供するステップを有することを特徴とする上記のゴルフ場での日焼け止めサービスの提供方法を提供するものである。
【００２９】
また、本発明は、さらに、ゴルフ場のコース情報を表示する手段と、当該情報を入力する手段と、当該情報を蓄積・検索する手段とを備え、当該手段を用いて、プレーヤーの希望に応じて、前記専門スタッフがゴルフ場のコースに関するアドバイスを提供するステップを有することを特徴とする上記のゴルフ場での日焼け止めサービスの提供方法を提供するものである。
【発明の効果】
【００３０】
本発明による効果を列挙する。
１）プレーヤー自身が日焼け止め化粧料を塗布するのではなく他人（すなわち専門スタッフ）が塗布するのでプレーヤーの手を汚さない。
２）プレーヤーの手はゴルフクラブのグリップとの重要な接点であり、プレーに際して極めて重要な要素となる。素手で握ったゴルフクラブのグリップが滑ってしまい満足にプレーできないという問題点、或いはそのような不安を解消することが可能となる。
３）プレーヤーが日焼け止めを塗布することを忘れてスタートホールのティグラウンドに行っても、日焼け止め化粧料を塗布することができる。
４）専門のスタッフによる塗布なので塗り損じがなく、確実に日焼けを防ぐことができる。均一に塗布できなかったり、塗り残しがあったりすることによる日焼け防止効果の減少を阻止できる。
５）専門のスタッフによる塗布なので、部分的に顔面が白くなり見栄えが悪くならず、ゴルファーとしてのおしゃれを楽しむことが出来る。
６）日焼け止め化粧料を塗布するという面倒な行為からプレーヤーが開放され、プレーに専念できる。
７）ゴルフコースの情報（例えばスタートホールの攻め方等の情報）も同時に専門スタッフからスタート直前に確認することが出来る。
８）プレー終了後にも、プレーヤーの当日の日焼けの状態を確認して日焼け後の肌をケアする化粧料を塗布し、日焼け後の皮膚を的確にケアすることが出来る。
９）日焼け止め化粧料若しくはその他の化粧料に関する情報及び／又はプレーヤーに関する情報を表示する手段と、当該情報を入力する手段と、当該情報を蓄積・検索する手段とを備え、当該手段を用いて、前記専門スタッフがプレーヤーを特定できる情報を入力するステップと、当該情報が検索されるステップと、当該情報に基づいて、焼け止め化粧料若しくは日焼け後の肌をケアする化粧料を塗布する各プレーヤーに適する日焼け止めサービスを提供するステップを有する日焼け止めサービスの提供方法により、上記効果の全てを発揮し、さらには各プレーヤーに適した日焼け防止サービスを提供することが可能となる。
１０）さらに、ゴルフ場のコース情報を表示する手段と、当該情報を入力する手段と、当該情報を蓄積・検索する手段とを備え、当該手段を用いて、プレーヤーの希望に応じて、前記専門スタッフがゴルフ場のコースに関するアドバイスを提供するステップを有することにより、上記効果の全てを発揮し、さらにはプレーヤーの技術の向上が可能となる。
【００３１】
上記の効果を有する本発明の日焼け止めサービスの提供方法は、長年ゴルファーとしての経験豊富な本発明者が、何よりもゴルフ場に提供して欲しいサービスとして着想した発明である。そして、専門スタッフによるお肌のケアによりプレーヤーの肌を紫外線から守ることが可能となり、さらには本発明を実施するゴルフ場特有のサービスの拡大と日焼け止め化粧料の消費の拡大につながり、延いては社会に貢献できる発明となる。
【図面の簡単な説明】
【００３２】
【図１】図１は本発明の日焼け止めサービスの提供方法の一態様を示す模式図である。
【発明を実施するための形態】
【００３３】
本発明は、ゴルフ場が顧客であるプレーヤーに提供する新規なサービスのシステムであり、ゴルフコースをラウンドしようとするプレーヤーに対して、プレーヤー自身によるのではなく専門スタッフが日焼け止め化粧料を塗布することにより、プレーヤー自身の手を日焼け止め化粧料により汚すことなく、日焼け防止を効果的に達成することが出来るというゴルフ場におけるサービスの提供方法である。
【００３４】
本発明において、専門スタッフは特に限定されず、ゴルフ場の従業員（例えばキャディー）であっても良いが、化粧料に関する知識を有する化粧品会社乃至化粧品販売店の関係者（例えば美容部員）が好ましい。日焼け止め化粧料やそれに配合されている紫外線吸収剤は様々な種類があり、専門知識を活用し、その日の紫外線情報に応じて的確な化粧料を塗布することが出来るからである。これによりプレーヤーの信頼感が高まり、本発明のサービスに対する有用性をプレーヤーがさらに認識する。
【００３５】
専門スタッフが化粧品会社乃至化粧品販売店の関係者の場合には、ゴルフ場と契約を結び、当該関係者が専門スタッフとして派遣されることになる。
そして、ゴルフ場でのプレーヤーはその地域の地元のプレーヤーが多いので、その地域の化粧品販売店から専門スタッフが派遣されることが好ましい。地元のプレーヤーの化粧や肌に関する特定情報を蓄積し、本発明に活用してプレーヤーの日焼け防止に関する的確なケアが可能となるからである。
また、本発明においては、同時に専門スタッフは日焼け止め化粧料や日焼け後の肌をケアする化粧料（例えばローションや乳液等）をプレーヤーの希望に応じて販売することが可能となり、プレーヤーに一層の満足感と購買意欲を与えると同時に、化粧料の販売促進に寄与し及び地域経済の活性化にも繋がる。
【００３６】
なお、専門スタッフが塗布する日焼け止め化粧料は、プレーヤーの希望に応じて、専門スタッフがあらかじめ用意した日焼け止め化粧料を塗布しても良いし、プレーヤーが持参する日焼け止め化粧料を塗布しても良い。前者であれば、プレーヤーがいちいち日焼け止め化粧料をゴルフ場に持参する必要も購入する必要もなくなるし、日焼け止め化粧料を持参することを忘れた場合においても日焼け防止が可能となるので好ましい。
【００３７】
本発明によれば、専門スタッフにより日焼け止め化粧料がプレーヤーに塗布されることにより、プレーヤー自らが自分の手で塗布する必要がなくなり自分の手を汚すことないので、素手で握ったゴルフクラブのグリップが滑ってしまい満足にプレーできないという問題点、或いはそのような不安を解消することが可能となり、ゴルフ技術の向上に貢献する。このことは、プレーヤーの手はゴルフクラブのグリップとの接点でありプレーに際して極めて重要な要素であることから、ゴルフ場での本サービス特有の最も重要な効果となる。
【００３８】
本発明では、専門スタッフが、ゴルフコースのスタートティー付近にてプレーヤーに日焼け止め化粧料を塗布することが好ましい。プレーする直前に日焼け止め化粧料を効果的に塗布することが出来るからであり、また、スタート前の緊張感も専門スタッフの化粧行為により和らげることが出来るからである。さらに、スタートティーにて待っている待ち時間を本発明のサービスにより有効に使うことができて、待ち時間中のプレーヤーのいらいらを解消することも可能である。
なお、スタートティー付近にて塗布行為を行えば、専門スタッフはスターターとしての役割を同時に果たすことも出来るので、プレーヤーにとってもゴルフ場にとっても利点がある。
【００３９】
スタートティー付近とは、アウトコースの１番ホール又はインコースの９番ホールのティーグランドの付近である。すなわち、１番ホール又は９番ホールのスタートホールのティーグランドに隣接した場所が好ましい。また、スタートホールに隣接せずに多少離れた場所であっても、ティーグランドが確認できて直ぐにスタート可能な場所が好ましい。
また、ハーフラウンドのプレーが終了して、プレーヤーが休憩後（通常は昼食休憩後）に再スタートの際においても、専門スタッフが後半のハーフラウンドのスタートティー付近にて日焼け止め化粧料を塗布するサービスを行うことが好ましい。
なお、本発明のサービスは、必ずしもスタートティー付近で行わなくても、クラブハウス内、或いは、ドライビングレンジやパッティンググリーン等の練習場にて行われても好ましい。
【００４０】
前記専門スタッフは、化粧用具を用いてプレーヤーの顔や腕に日焼け止め化粧料を塗布することも好ましい。化粧用具は限定されないが、ローションや乳液上の日焼け止め化粧料を塗布するために使用されるパフとかブラシ等を用いることが好ましい。
また、用いる化粧用具は、多くのプレーヤーに塗布するので、使い捨てタイプ或いは使用後に洗浄して再利用可能な化粧用具であっても好ましい。
なお、日焼け止め化粧料や化粧用具は、大手化粧品会社（例えば国内大手の資生堂）による市販品を使用することが商品の信頼性もあるので好ましく、本発明のサービスの信頼性が向上する。
さらに、専門スタッフが、鏡を用いて日焼け止め化粧料の塗布状態をプレーヤーに確認させることは、プレーヤーを十二分に満足させるために好ましい態様である。特にプレーヤーが女性ゴルファーの場合はなおさらである。なお、後述する情報表示手段のディスプレーを利用し、デジタルカメラを用いてプレーヤーの顔を撮影し、塗布状態を確認させることも可能である。
一方、日焼け止め化粧料を塗布した後、女性ゴルファーであれば、アイライナーとか口紅とかのメーキャップサービスを施術し、プレーヤーに一層の満足感を与え、おしゃれを楽しませることも可能である。
【００４１】
前記専門スタッフが、当日の紫外線量に応じて日焼け止め化粧料の日焼け止め効果を調整し塗布することが好ましい。紫外線量は紫外線の強さを測定する任意の装置により測定してもよいし、その地域の天気予報で提供される紫外線の強弱に関する情報や日光の強さを目安にして決定されてもよい。日焼け止め化粧料の日焼け止め効果を調整するとは、具体的には、紫外線量の強弱に応じて、ＳＰＦの異なる日焼け止め化粧料を塗布することも出来るし、適宜、専門スタッフの日焼け止め化粧料に関する専門知識を活用して、的確な日焼け止め効果をプレーヤーに与えるように、様々な日焼け止め化粧料の中から最適な日焼け止め化粧料を選択して塗布することも出来る。
【００４２】
一方、プレー終了後に、浴室若しくはクラブハウス内にて、プレーヤーの当日の日焼けの状態を確認して日焼け後の肌をケアする化粧料、すなわち、日焼け後のほてりを鎮める、或いは保湿作用を有するローションやシートパック、ジェル、乳液、クリーム等の化粧料を、プレーヤーの希望に応じて、専門スタッフが塗布するサービスを行うことも好ましい。紫外線を大量に浴びた後は、上記した化粧料により、肌の炎症を抑え十分に肌をケアすることは極めて重要である。
特に女性ゴルファーの場合に対しては、美容部員等の専門スタッフがプレーヤーの日焼け後の肌にローションや乳液等の基礎化粧料を施した後に、引き続いてメーキャップ化粧料を施しても喜ばれる。
また、その際に、プレーヤーが気に入った化粧料を販売することが可能となる。プレーヤーである顧客が実際に使用し、その使用感に応じて好ましい化粧料を購入することが出来るので、化粧品の最も好ましい販売方法にもなる。本発明は、プレーヤーにも喜ばれ、ゴルフ場や化粧品販売店の売り上げにも多大に貢献する発明である。
【００４３】
前記専門スタッフは化粧行為専門の専門スタッフ（例えば化粧品販売店に美容部員）が好ましいが、プレーヤーに日焼け止め化粧料を塗布する際にゴルフ場のコースに関するアドバイスを行うことも好ましい。例えば、「フェアウエーの左サイド狙いが好ましい」とか「前方に見える鉄塔方向を目標してください」とか「右はＯＢです」とかいうようなワンポントアドバイスである。この程度のコース情報に関するアドバイスであれば、化粧行為を専門とする専門スタッフでも可能であるし、また、後述する情報表示手段によって、プレーヤーにコース情報を確認させることにより的確なアドバイスを提供することも可能である。
一方、プレーヤーとしても、スタート前のワンポイントアドバイスはスタートホールの特徴を再確認できるので極めて有難いサービスとなる。
【００４４】
本発明によるゴルフのサービスは、専門スタッフがコンピューターやコンピューター端末等の情報機器を用いて効率良く行うことも好ましい。すなわち、日焼け止め化粧料若しくはその他の化粧料（その他の化粧料とは、日焼け後の肌をケアする化粧料やメーキャップ化粧料等の日焼け止めを目的とする以外の化粧料を意味する）に関する情報及び／又はプレーヤーに関する情報を表示する手段（ディスプレー）と、当該情報を入力する手段（キーボード）と、当該情報を蓄積・検索する手段（パソコン本体）とを備えたパーソナルコンピューターを用いて、日焼け止め化粧料の塗布に際に得られた各プレーヤーに関する様々な情報を入力し、今後のサービスに活用する。
例えば、「日焼けにより肌が赤くなりやすい」とか「特定の化粧料にアレルギーがある」とか「肌が荒れている」とか「肌がかみそり負けし易い」とか「肌が乾燥し易い」といったような肌に関する情報は勿論のこと、好みの日焼け止め化粧料やその他にも各プレーヤーのゴルフに関する特定情報などを入力し、今後、そのプレーヤーに対して本発明のサービスを行う際に、プレーヤーの氏名を入力し、そのプレーヤーに関する特定情報を検索してそれを閲覧しながら特定情報を活用し、最適な日焼け止め化粧料を選択して塗布したり、或いは、単にプレーヤーとの会話を楽しいものにしたりすることによって、プレーヤーを満足させ、本発明をより一層有用なサービスに発展させることが可能となる。
【００４５】
図１は本発明の一態様の模式図である。スタートティーのティーグランド１００に隣接して、仮設の机５と椅子４を設置し、専門スタッフ１が、プレーヤー２に、日焼け止め化粧料３を塗布し、情報表示手段１０のディスプレーにてスタートホールのコース情報をも提供している状況を示している。日焼け止め化粧料３は適宜市販品の商品が選択されるが、大手化粧品会社の信頼できる商品（例えば資生堂のアネッサ（登録商標））を使用することが好ましい。
塗布を行う場所には仮設のテントを設けても直射日光を遮ることが出来るので好ましいし、日光を遮る木陰にて行うことも好ましい。
また、仮設の台若しくはカート等を利用してそこに日焼け止め化粧料や化粧用具や鏡を置き、専門スタッフが立ったままで手早くプレーヤーに日焼け止め化粧料を塗布することも可能である。
さらにデジタルカメラで日焼け止め化粧料を塗布後のプレーヤー２を撮影したり、隣接したティーグランド１００でのプレーヤー２のナイスショットを撮影したりして、それらをディスプレー１０に表示しプレーヤーに閲覧させるステップを設けても好ましい。
【００４６】
専門スタッフが日焼け止め化粧料を塗布する際に得た様々な情報は情報入力手段２０のキーボードにより情報蓄積・検索手段３０のパソコン本体にデータとして保存することが可能である。当該情報は本サービスを行った際にその場でデータとして蓄積しておくことが好ましく、プレーヤーが当該ゴルフ場のメンバーであれば蓄積したデータを再度活用し易い。
一方、専門スタッフが、ゴルフ場近くの化粧品販売店から派遣される態様においては、プレーヤーがその化粧品販売店の顧客になることにより、肌に関する情報を化粧品販売店にて収集して蓄積し、本発明に利用することが可能となる。
また、ゴルフ技術に関するプレーヤーの個々の情報（ハンディキャップや、フッカーとかスライサーとかのゴルフ技術に関する情報）を、情報蓄積・検索手段３０のパソコン本体にデータとして蓄積し、これを本サービスを行う際の専門スタッフとプレーヤーとの楽しく有意義な会話やアドバイスに活かすことが可能となる。
このようなサービスを行えば、個々のプレーヤーに対応したきめ細かい日焼け止め化粧行為のサービスを提供することが可能となる。
【００４７】
一方、ゴルフ場のコースに関する情報をディスプレー１０に表示できるようにして、専門スタッフがゴルフ場のコースに関するアドバイスを提供することも好ましく、プレーヤーに多大な満足感を与えることが可能となる。ゴルフ技術やコースに関する情報をディスプレー１０に表示してプレーヤーがそれを閲覧できるようにすれば、専門スタッフがゴルフ場関係者でなくてゴルフに詳しくなくても、ゴルフ技術やコースに関する情報をプレーヤーにアドバイス可能である。
また、日焼け止め化粧料には様々な種類があり、それぞれの用途に合わせた日焼け止めを選択することが重要であるが、あらかじめその日に塗布する日焼け止め化粧料を決めておき、また、手際良くそして気持ち良くプレーヤーに塗布する技術を磨いていけば、化粧品会社や化粧品販売店の関係者でなくても、キャディーやゴルフ場関係者でも専門スタッフとして十分に活躍することは可能となる。要するに、プレーヤー自身の手を汚すことなく、気分良くプレーヤーに日焼け止め化粧料が塗布されれば良いのである。
【産業上の利用可能性】
【００４８】
本発明は、近年のビジネスとして競争が厳しいゴルフ場において、ゴルフ場による特異的なサービスとして他のゴルフ場との差別化を図ることが可能となり、集客力をもたらすゴルフ場のサービスとして利用価値が大きく、また、日焼け止め化粧料や関連化粧料の販売促進にも繋がる優れた発明でもある。
そして、何よりゴルフ場の顧客であるプレーヤー自身が待ち望んだサービスを具体的に提供可能な発明であり、プレーヤー自身の手を汚すことなく、プレーヤーの日焼け防止を図ることを可能とし、ゴルフ場が提供するサービスによりゴルフ場の顧客であるプレーヤーを有害な紫外線から保護し、ゴルフ技術の向上にも寄与する極めて有用な発明である。プレーヤーに喜ばれ、ゴルフ場の知名度が向上し、ゴルフ場及びプレーヤーに多大な利益を齎す極めて有用な発明である。
【符号の説明】
【００４９】
１  専門スタッフ
２  プレーヤー
３  日焼け止め化粧料
４  椅子
５  机
１０  情報表示手段
２０  情報入力手段
３０  情報蓄積・検索手段
１００  スタートティーのティーグランド
【図１】
2010282525.tif 000003